(57)【要約】【課題】電線の芯線を効率よく磨くことができる間接活線工事用電線ブラシを提供する。【解決手段】電線ブラシ１０は、フレーム１、可動ジョー２、及び、送りねじ３を備える。フレーム１は、固定ジョー１１を一端部に有し、台部１２を他端部に有する。固定ジョー１１は、ブラシＢｒを円弧溝１１ｄの底面に植設している。台部１２は、雌ねじ部１２ｆを形成している。可動ジョー２は、固定ジョー１１に向かって進退自在に配置されている。可動ジョー２は、ブラシＢｒを湾曲溝２１ｄの底面に植設している。送りねじ３は、可動ジョー２の底部と連結している。又、送りねじ３は、雌ねじ部１２ｆに螺合した軸部３１を有する。軸部３１は、接続金具３２を基端部に有する。共用操作棒９を接続金具３２に接続した状態で、共用操作棒９を軸回りに一方の方向に回転すると、可動ジョー２は、電線Ｗを挟持自在に、固定ジョー１１に向かって進出できる。【選択図】図１
2017158405.tif 000002
【特許請求の範囲】
【請求項１】
電線の外周面に当接自在なブラシを円弧溝の底面に植設した半円弧体状の固定ジョーを一端部に有し、前記固定ジョーと離隔して対向配置され、中心部に雌ねじ部を形成した台部を他端部に有するＣ字状のフレームと、
電線の外周面に当接自在なブラシを湾曲溝の底面に植設し、前記固定ジョーに向かって進退自在に配置された半円弧体状の可動ジョーと、
前記可動ジョーの底部と回動自在、かつ、分離困難に先端部が連結し、前記雌ねじ部に螺合した軸部を有する送りねじと、を備え、
前記送りねじの軸部は、共用操作棒の先端部と接続自在なツイストロック形の円筒状の接続金具を基端部に有し、
前記共用操作棒の先端部を前記接続金具に接続した状態で、前記共用操作棒をその軸回りに一方の方向に回転すると、前記可動ジョーは、電線を挟持自在に、前記固定ジョーに向かって進出できる、間接活線工事用電線ブラシ。
【請求項２】
前記固定ジョーは、当該固定ジョーの本体の一部が分割された移動ジョーを備え、
前記移動ジョーは、電線の外周方向に移動自在に、前記固定ジョーの本体と連結している、請求項１記載の間接活線工事用電線ブラシ。
【請求項３】
前記固定ジョーは、前記移動ジョーを前記固定ジョーの本体に向かって復帰させる付勢部材を有している、請求項２記載の間接活線工事用電線ブラシ。
【請求項４】
前記ブラシは、前記固定ジョーの幅方向の中央部、又は／及び、前記可動ジョーの幅方向の中央部がそれらの両端部より隆起している、請求項１から３のいずれかに記載の間接活線工事用電線ブラシ。
【発明の詳細な説明】
【技術分野】
【０００１】
本発明は、間接活線工事用電線ブラシに関する。特に、共用操作棒の先端部に連結された鉤状の固定ジョーと、固定ジョーに対して昇降自在に連結した可動ジョーを備え、固定ジョーに対して可動ジョーを近づけることで、これらの内壁に植設したブラシで電線の芯線を容易に磨く、間接活線工事用電線ブラシの構造に関する。
【背景技術】
【０００２】
高圧配電線を無停電で配電工事を行う活線作業には、直接活線工法と間接活線工法の二通りがあることが知られている。直接活線工法は、作業者が高圧ゴム手袋などの保護具を着用して、通電中の高圧配電線に直接触れて配電工事を行う。一方、間接活線工法は、作業者が絶縁操作棒（ホットスティック）などを用いて、通電中の高圧配電線に直接触れることなく配電工事を行うことができる。
【０００３】
一般に、絶縁操作棒は、長尺の操作棒とこの操作棒の先端部に取り付けた配電作業用工具（以下、先端工具という）で構成している。そして、絶縁操作棒は、高圧配電線を把持、又は切断するなど、作業目的に対応して、先端工具を交換できるように構成している。
【０００４】
このような遠隔に配置された高圧配電線を配電工事する絶縁操作棒としては、用途の異なる先端工具を交換自在に先端部に着脱できる遠隔把持用絶縁操作棒、いわゆる「共用操作棒」が知られている。この共用操作棒を用いて、電線にバインド線を巻き付ける作業の他に、絶縁被覆を剥離した電線の芯線を磨く作業などが実施されている。
【０００５】
図９は、従来技術による間接活線工事用電線ブラシの構成を示す図であり、図９（Ａ）は、間接活線工事用電線ブラシの正面図、図９（Ｂ）は、間接活線工事用電線ブラシの右側面図である。図１０は、従来技術による間接活線工事用電線ブラシの構成を示す斜視図であり、絶縁被覆を剥離した電線の芯線を磨いている状態図である。
【０００６】
図９又は図１０を参照すると、従来技術による間接活線工事用電線ブラシ（以下、電線ブラシと略称する）８は、Ｃ字状のフレーム８１と複数の線状体からなるブラシ８２で構成している。フレーム８１の内壁には、ブラシ８２を密に植設している。
【０００７】
図９又は図１０を参照すると、フレーム８１は、円板状の菊座部８ｂを一端部に備えている。共用操作棒９の先端部に設けたツイストロック形の接続金具７に雄ねじ部７ｓを設け、菊座部８ｂの中央部に雄ねじ部７ｓを挿通すると共に、蝶ナット７ｎを雄ねじ部７ｓに締結することで、共用操作棒９が延びる方向に対して、任意の角度で電線ブラシ８を固定できる（図１０参照）。
【０００８】
図１０を参照して、共用操作棒９の手許部を把持して、電線ブラシ８を上下左右に移動することで、絶縁被覆Ｗｉを剥離した電線Ｗの芯線Ｗｃの外周を磨くことができる。なお、芯線Ｗｃの近傍には、電線Ｗを確実に把持できると共に、電線Ｗの把持状態を維持できる、いわゆるストレーリンクトング（図示せず）を配置している。
【０００９】
図９又は図１０に示したような、間接活線工事用電線ブラシは、例えば、特許文献１の従来技術にも開示されている。
【先行技術文献】
【特許文献】
【００１０】
【特許文献１】特開２００８−１２５２９４号公報  （図９）
【発明の概要】
【発明が解決しようとする課題】
【００１１】
ところで、図９又は図１０に示した従来技術による電線ブラシ８は、共用操作棒９を引き下げて、共用操作棒９の手許部を揺動することで、芯線Ｗｃの上側を磨くことができ、共用操作棒９を押し上げて、共用操作棒９の手許部を揺動することで、芯線Ｗｃの下側を磨くことができる。そして、これらの動作を芯線Ｗｃが延びる方向（左右方向）に繰り返すことで、芯線Ｗｃが露出された領域に亘り、芯線Ｗｃを磨くことができる。
【００１２】
このように、従来技術による電線ブラシ８は、上顎部８１ａの内壁に植設したブラシ８２と、下顎部８１ｂの内壁に植設したブラシ８２が離間しているため（図９（Ｂ）参照）、電線ブラシ８の昇降動作を繰り返すのに、相当の作業時間と労力を要しているという問題がある。特に、太径の電線と比べて細径の電線では、電線ブラシ８の移動距離が相対的に長くなるので、作業時間と労力をより要するという問題がある。
【００１３】
以上のことから、絶縁操作棒の先端部に設けた間接活線工事用電線ブラシであって、絶縁被覆を剥離した電線の芯線を効率よく磨くことができる間接活線工事用電線ブラシが求められていた。そして、以上のことが本発明の課題といってよい。
【００１４】
本発明は、このような課題に鑑みてなされたものであり、絶縁操作棒の先端部に設けた間接活線工事用電線ブラシであって、絶縁被覆を剥離した電線の芯線を効率よく磨くことができる間接活線工事用電線ブラシを提供することを目的とする。
【課題を解決するための手段】
【００１５】
本発明者らは、ブラシを植設した固定ジョーを一端部に有するフレーム、固定ジョーに対して昇降自在な可動ジョー、及び、一端部が可動ジョーと回動自在に連結した送りねじで間接活線工事用電線ブラシを構成し、送りねじの基端部に配置した接続金具に共用操作棒の先端部を接続した状態で、共用操作棒をその軸回りに一方の方向に回転すると、可動ジョーと固定ジョーで電線を挟持でき、電線の芯線を効率よく磨くことができると考え、これに基づいて、以下のような新たな間接活線工事用電線ブラシを発明するに至った。
【００１６】
（１）本発明による間接活線工事用電線ブラシは、電線の外周面に当接自在なブラシを円弧溝の底面に植設した半円弧体状の固定ジョーを一端部に有し、前記固定ジョーと離隔して対向配置され、中心部に雌ねじ部を形成した台部を他端部に有するＣ字状のフレームと、電線Ｗの外周面に当接自在なブラシを湾曲溝の底面に植設し、前記固定ジョーに向かって進退自在に配置された半円弧体状の可動ジョーと、前記可動ジョーの底部と回動自在、かつ、分離困難に先端部が連結し、前記雌ねじ部に螺合した軸部を有する送りねじと、を備え、前記送りねじの軸部は、共用操作棒の先端部と接続自在なツイストロック形の円筒状の接続金具を基端部に有し、前記共用操作棒の先端部を前記接続金具に接続した状態で、前記共用操作棒をその軸回りに一方の方向に回転すると、前記可動ジョーは、電線を挟持自在に、前記固定ジョーに向かって進出できる。
【００１７】
（２）前記固定ジョーは、当該固定ジョーの本体の一部が分割された移動ジョーを備え、前記移動ジョーは、電線の外周方向に移動自在に、前記固定ジョーの本体と連結していることが好ましい。
【００１８】
（３）前記固定ジョーは、前記移動ジョーを前記固定ジョーの本体に向かって復帰させる付勢部材を有していることが好ましい。
【００１９】
（４）前記ブラシは、前記固定ジョーの幅方向の中央部、又は／及び、前記可動ジョーの幅方向の中央部がそれらの両端部より隆起していることが好ましい。
【発明の効果】
【００２０】
本発明による間接活線工事用電線ブラシは、共用操作棒を用いて、ブラシを植設した固定ジョーとブラシを植設した可動ジョーで電線を外周方向から挟持できるので、電線の芯線を効率よく磨くことができる。
【図面の簡単な説明】
【００２１】
【図１】本発明の一実施形態による間接活線工事用電線ブラシの構成を示す斜視図である。
【図２】前記実施形態による間接活線工事用電線ブラシの構成を示す斜視分解組立図である。
【図３】前記実施形態による間接活線工事用電線ブラシの構成を示す斜視分解組立図であり、図２と異なる方向から間接活線工事用電線ブラシを観た図である。
【図４】前記実施形態による間接活線工事用電線ブラシの構成を示す図であり、図４（Ａ）は、間接活線工事用電線ブラシの正面図、図４（Ｂ）は、間接活線工事用電線ブラシの平面図、図４（Ｃ）は、間接活線工事用電線ブラシの右側面図、図４（Ｄ）は、間接活線工事用電線ブラシの左側面図である。
【図５】前記実施形態による間接活線工事用電線ブラシの要部を示す正面図であり、細径の電線を固定ジョーと可動ジョーで挟持した状態図である。
【図６】前記実施形態による間接活線工事用電線ブラシの要部を示す正面図であり、太径の電線を固定ジョーと可動ジョーで挟持した状態図である。
【図７】共用操作棒の一例による構成を示す正面図である。
【図８】共用操作棒の先端部に設けた工具部を拡大した斜視図である。
【図９】従来技術による間接活線工事用電線ブラシの構成を示す図であり、図９（Ａ）は、間接活線工事用電線ブラシの正面図、図９（Ｂ）は、間接活線工事用電線ブラシの右側面図である。
【図１０】従来技術による間接活線工事用電線ブラシの構成を示す斜視図であり、絶縁被覆を剥離した電線の芯線を磨いている状態図である。
【発明を実施するための形態】
【００２２】
以下、図面を参照して本発明を実施するための形態を説明する。
［間接活線工事用電線ブラシの構成］
最初に、本発明の一実施形態による間接活線工事用電線ブラシの構成を説明する。
【００２３】
図１は、本発明の一実施形態による間接活線工事用電線ブラシの構成を示す斜視図である。図２は、前記実施形態による間接活線工事用電線ブラシの構成を示す斜視分解組立図である。
【００２４】
図３は、前記実施形態による間接活線工事用電線ブラシの構成を示す斜視分解組立図であり、図２と異なる方向から間接活線工事用電線ブラシを観た図である。
【００２５】
図４は、前記実施形態による間接活線工事用電線ブラシの構成を示す図であり、図４（Ａ）は、間接活線工事用電線ブラシの正面図、図４（Ｂ）は、間接活線工事用電線ブラシの平面図、図４（Ｃ）は、間接活線工事用電線ブラシの右側面図、図４（Ｄ）は、間接活線工事用電線ブラシの左側面図である。
【００２６】
図５は、前記実施形態による間接活線工事用電線ブラシの要部を示す正面図であり、細径の電線を固定ジョーと可動ジョーで挟持した状態図である。
【００２７】
図６は、前記実施形態による間接活線工事用電線ブラシの要部を示す正面図であり、太径の電線を固定ジョーと可動ジョーで挟持した状態図である。
【００２８】
図７は、共用操作棒の一例による構成を示す正面図である。図８は、共用操作棒の先端部に設けた工具部を拡大した斜視図である。
【００２９】
なお、従来技術で使用した符号と同じ符号を有する構成品は、その作用を同じとするので、以下説明を省略することがある。
【００３０】
（全体構成）
図１から図６を参照すると、本発明の一実施形態による間接活線工事用電線ブラシ（以下、電線ブラシと略称する）１０は、Ｃ字状のフレーム１、半円弧体状の可動ジョー２、及び、送りねじ３を備えている。フレーム１は、半円弧体状の固定ジョー１１を一端部に有し、台部１２を他端部に有している。
【００３１】
図１から図６を参照すると、固定ジョー１１は、電線Ｗの外周面に当接自在なブラシＢｒを円弧溝１１ｄの底面に植設している。台部１２は、固定ジョー１１と離隔して対向配置されている。又、台部１２は、雌ねじ部１２ｆを中心部に形成している。
【００３２】
図１から図６を参照すると、可動ジョー２は、固定ジョー１１に向かって進退自在に配置されている。可動ジョー２は、電線Ｗの外周面に当接自在なブラシＢｒを湾曲溝２１ｄの底面に植設している。
【００３３】
図１から図６を参照すると、送りねじ３は、可動ジョー２の底部と回動自在、かつ、分離困難に先端部が連結している。又、送りねじ３は、雌ねじ部１２ｆに螺合した軸部３１を有している。
【００３４】
図１から図４を参照すると、送りねじ３の軸部３１は、ツイストロック形の円筒状の接続金具３２を基端部に有している。接続金具３２には、後述する共用操作棒９の先端部と着脱自在に接続できる（図７又は図８参照）。
【００３５】
図１から図８を参照して、共用操作棒９の先端部を接続金具３２に接続した状態で、共用操作棒９をその軸回りに一方の方向に回転すると、可動ジョー２は、電線Ｗを挟持自在に、固定ジョー１１に向かって進出できる（図５又は図６参照）。
【００３６】
図１から図８を参照すると、実施形態による電線ブラシ１０は、共用操作棒９を用いて、ブラシＢｒを植設した固定ジョー１１とブラシＢｒを植設した可動ジョー２で電線Ｗを外周方向から挟持できるので、電線Ｗの芯線Ｗｃを効率よく磨くことができる（図５又は図６参照）。
【００３７】
（固定ジョーの構成）
次に、実施形態による固定ジョー１１の構成を説明する。図１から図４を参照すると、固定ジョー１１は、固定ジョー１１の本体１１ｂの一部が分割された移動ジョー１１ａを備えている。移動ジョー１１ａは、電線Ｗの外周方向に移動自在に、固定ジョー１１の本体１１ｂと連結している。
【００３８】
図２又は図３参照すると、移動ジョー１１ａは、案内シャフト１１ｃを本体１１ｂとの当接面から突出している。案内シャフト１１ｃは、四角柱状の第１軸部１１１を基端部に有し、円柱状の第２軸部１１２を先端部側に有している。一方、固定ジョー１１の本体１１ｂは、四角穴１１ｈを開口している。四角穴１１ｈには、第１軸部１１１をスライド自在に嵌合できる。
【００３９】
図１から図４を参照すると、固定ジョー１１は、付勢部材となる圧縮コイルばね１１ｓを更に備えている。第１軸部１１１を四角穴１１ｈに挿入し、圧縮コイルばね１１ｓを第２軸部１１２に装着した後に、第２軸部１１２の先端部にＥリング１１ｅを係止することで、圧縮コイルばね１１ｓは、移動ジョー１１ａが本体１１ｂに向かって復帰させる力を付勢できる。
【００４０】
図１から図６を参照すると、固定ジョー１１は、円弧溝１１ｄの底面から線材が起立するようブラシＢｒを植設している。ブラシＢｒは、絶縁被覆Ｗｉを剥離した電線Ｗの芯線Ｗｃ（図１０参照）を磨くことができる。固定ジョー１１に植設されたブラシＢｒは、固定ジョー１１の幅方向の中央部がそれらの両端部より隆起していることが好ましい（図２参照）。
【００４１】
（フレームの構成）
次に、実施形態によるフレーム１の構成を説明する。図１から図４を参照すると、フレーム１は、矩形の案内溝１ｍを本体１ｂに開口している。案内溝１ｍは、本体１ｂが延びる方向と略平行に形成されている。案内溝１ｍには、可動ジョー２の一部が挿入されている。可動ジョー２は、案内溝１ｍに沿って移動することのみが許容されている。つまり、可動ジョー２は、回転運動が規制されている。
【００４２】
（可動ジョーの構成）
次に、実施形態による可動ジョー２の構成を説明する。図１から図４を参照すると、可動ジョー２は、湾曲溝２１ｄの底面から線材が起立するようブラシＢｒを本体２ｂに植設している。ブラシＢｒは、絶縁被覆Ｗｉを剥離した電線Ｗの芯線Ｗｃ（図１０参照）を磨くことができる。可動ジョー２の本体２ｂに植設されたブラシＢｒは、可動ジョー２の幅方向の中央部がそれらの両端部より隆起していることが好ましい（図２参照）。
【００４３】
図１から図４を参照すると、可動ジョー２は、円板状の台座２１を本体２ｂの底部に固定している。台座２１は、送りねじ３の先端部と回動自在、かつ、分離困難に連結している。つまり、電線ブラシ１０は、送りねじ３の回転運動が可動ジョー２に伝動しないように構成している。
【００４４】
（共用操作棒の構成）
次に、共用操作棒の一例による構成を説明する。図７を参照すると、共用操作棒９は、工具部９１、柄部９２、及び把持部９３を備えている。工具部９１は、後述する接続金具３２（図１から図４参照）を着脱自在となっている。把持部９３は、作業員が把持し易いように滑り止めが施されている。柄部９２は、工具部９１と把持部９３とを連結し、絶縁性を有する長尺の管体からなっている。
【００４５】
図７を参照すると、柄部９２の中間部には、円錐体状の水切り鍔９ａを取り付けている。水切り鍔９ａは、工具部９１から進出する雨水を堰き止めることができる。又、柄部９２と把持部９３との接続部には、円錐体状の限界鍔９ｂを取り付けている。限界鍔９ｂの取付け位置は、絶縁性を考慮して安全に作業できる限界を示している。
【００４６】
図７又は図８を参照すると、工具部９１は、軸部９１ａと一対のピン９１ｂ・９１ｂを備えている。又、工具部９１は、プッシュロッド９１ｃとプッシュリング９１ｄを備えている。軸部９１ａは、柄部９２の軸方向に突出している。一対のピン９１ｂ・９１ｂは、相反する向きに軸部９１ａの外周から突出している。プッシュロッド９１ｃは、軸部９１ａの先端面から突出するように、工具部９１に内蔵された圧縮コイルばね（図示せず）によって、力を付勢されている。プッシュリング９１ｄは、軸部９１ａの下方に配置されている。プッシュリング９１ｄは、図示しない圧縮コイルばねによって、軸部９１ａに向かう力を付勢されている。
【００４７】
図７又は図８に示した長尺の絶縁操作棒は、用途の異なる先端工具を交換自在に工具部に取り付けることができることから、共用操作棒と呼ばれている。
【００４８】
（接続金具の構成）
次に、実施形態による接続金具３２の構成を説明する。図１から図４を参照すると、接続金具３２は、底面が開口された円筒状に形成している。接続金具３２には、共用操作棒９の軸部９１ａ（図６参照）が嵌合する軸穴３２ａを底面から開口している。又、接続金具３２には、一対のＴ字状の係合溝３２ｂ・３２ｂを外周に形成している。
【００４９】
図１から図４を参照して、一対のピン９１ｂ・９１ｂ（図８参照）を軸穴３２ａの軸方向に挿入した後に、これらのピン９１ｂ・９１ｂを軸穴３２ａの周方向に回動することで、係合溝３２ｂ・３２ｂに係合できる。このような係合手段は、ツイストロックと呼ばれている。更に、軸穴３２ａの内部では、プッシュロッド９１ｃ（図８参照）が軸穴３２ａの上内壁を押圧しているので、共用操作棒９を接続金具３２に確実に係合できる。
【００５０】
［間接活線工事用電線ブラシの作用］
次に、実施形態による電線ブラシ１０の操作方法を説明しながら、電線ブラシ１０の作用及び効果を説明する。
【００５１】
図１から図４及び図７又は図８を参照して、最初に、電線ブラシ１０を共用操作棒９の先端部に固定しておく。次に、共用操作棒９の手許部を把持して、電線ブラシ１０を電線Ｗに向かって持ち上げる。
【００５２】
次に、共用操作棒９を操作して、電線Ｗの芯線Ｗｃをその外周方向から固定ジョー１１と可動ジョー２の間に導入する（図４（Ａ）参照）。次に、共用操作棒９を引き下げると、固定ジョー１１の円弧溝１１ｄに電線Ｗの芯線Ｗｃを導入できる（図４（Ａ）参照）。
【００５３】
次に、図１から図８を参照して、共用操作棒９の先端部を接続金具３２に接続した状態で、共用操作棒９をその軸回りに一方の方向に回転すると、固定ジョー１１に向かって可動ジョー２を進出できる。
【００５４】
図５に示した状態では、ブラシＢｒを植設した固定ジョー１１とブラシＢｒを植設した可動ジョー２で細径の電線Ｗの芯線Ｗｃを外周方向から挟持している。そして、固定ジョー１１に植設したブラシＢｒと可動ジョー２に植設したブラシＢｒで、電線Ｗの芯線Ｗｃの略全周囲をブラシＢｒで効率よく磨くことができる。
【００５５】
図６に示した状態では、ブラシＢｒを植設した固定ジョー１１とブラシＢｒを植設した可動ジョー２で太径の電線Ｗの芯線Ｗｃを外周方向から挟持している。図６に示した状態では、移動ジョー１１ａが本体１１ｂから離間している。そして、固定ジョー１１に植設したブラシＢｒと可動ジョー２に植設したブラシＢｒで、電線Ｗの芯線Ｗｃの略全周囲をブラシＢｒで効率よく磨くことができる。
【００５６】
実施形態による電線ブラシ１０は、電線Ｗの芯線Ｗｃをその外周方向から導入して、共用操作棒９をその軸回りに一方の方向に回転すると、ブラシＢｒを植設した固定ジョー１１とブラシＢｒを植設した可動ジョー２で、電線Ｗの芯線Ｗｃを挟持でき、従来の電線ブラシ８と比べて、電線Ｗの芯線Ｗｃを効率よく磨くことができるという効果がある。
【００５７】
又、図１から図６を参照すると、ブラシＢｒは、固定ジョー１１の幅方向の中央部、又は／及び、可動ジョー２の幅方向の中央部がそれらの両端部より隆起していることが好ましい。これにより、従来の電線ブラシ８と比べて、摩擦抵抗を低減した状態で、電線Ｗの芯線Ｗｃを磨くことができるという効果がある。
【００５８】
図８を参照すると、従来技術による電線ブラシ８は、太径の電線Ｗを対象として、上顎部８１ａ又は下顎部８１ｂの曲率半径を設定している。このため、太径の電線Ｗと比べて細径の電線Ｗでは、電線Ｗの芯線Ｗｃを効率よく磨くことが困難であった。
【００５９】
一方、実施形態による電線ブラシ１０は、細径の電線Ｗを対象として、固定ジョー１１の円弧溝１１ｄの曲率半径を設定している（図５参照）。このため、実施形態による電線ブラシ１０は、太径の電線Ｗを固定ジョー１１に導入すべく、移動ジョー１１ａが本体１１ｂから離間できる構成とした。なお、可動ジョー２は、細径の電線Ｗから太径の電線Ｗを導入するために、湾曲溝２１ｄを楕円曲面とした（図６参照）。
【００６０】
本発明による間接活線工事用電線ブラシは、次のような効果が期待できる。
（１）電線の芯線を効率よく磨くことができる。
（２）固定ジョーと可動ジョーで電線を挟持できるので、電線から脱落する心配が無くなる。
【００６１】
本発明は、無停電状態の高圧配電線を間接的に活線工事できる間接活線工事用電線ブラシを開示したが、本発明の電線ブラシは、間接活線工事用に限定されることなく、他の分野でも応用されることが期待される。
【符号の説明】
【００６２】
１  フレーム
２  可動ジョー
３  送りねじ
９  共用操作棒
１０  電線ブラシ（間接活線工事用電線ブラシ）
１１  固定ジョー
１１ｄ  円弧溝
１２  台部
１２ｆ  雌ねじ部
２１ｄ  湾曲溝
３１  軸部
３２  接続金具
Ｂｒ  ブラシ
Ｗ  電線
【図１】
2017158405.tif 000003
【図２】
2017158405.tif 000004
【図３】
2017158405.tif 000005
【図４】
2017158405.tif 000006
【図５】
2017158405.tif 000007
【図６】
2017158405.tif 000008
【図７】
2017158405.tif 000009
【図８】
2017158405.tif 000010
【図９】
2017158405.tif 000011
【図１０】
2017158405.tif 000012